(57)【要約】      （修正有）【課題】洗顔時、食事時（含、介護時）、歯科治療時、化粧時などにおいて、髪と服の汚れと濡れを一度の手間で防ぐ用品を提供する。【解決手段】洗顔時、歯科治療時、食事時（含、介護時）、化粧時などにおいて、髪の毛に絡みにくいプラスチック、金属、木など適宜素材で出来た髪留め用クリップと、洋梨形、又はハート型又は四角等の防水機能、又は、吸水機能のある適宜素材とを、接続することにより、髪を留めると同時に、洗顔時、食事時（含、介護時）、歯科治療時、化粧時における、胸元の汚れと濡れ防止用品が装着できる。従って、髪が汚れたり濡れるのと服が汚れたり濡れる問題を同時に解決している。【選択図】図１
0003149909.tif 000002
【実用新案登録請求の範囲】
【請求項１】
本考案は、洗顔時、食事時（含、介護時）、歯科治療時、化粧時などにおいて、髪と服の汚れと濡れを防ぐため、髪の毛に絡みにくいプラスチック、金属、木等適宜素材で出来た髪留め用クリップと、洋梨形、又はハート型又は四角等の防水機能、又は、吸水機能のある適宜素材とを、接続した胸元汚れと濡れ防止用品に関したものである。接続部は、縫い閉じる、又は、ホック（スナップ）、マグネットなどを取り付けても良い、又は、紐、弾性ひも又は弾性テープで結んでも良い。
【考案の詳細な説明】
【技術分野】
【０００１】  本考案は、洗顔時、食事時（含、介護時）、歯科治療時、化粧時などにおいて、髪と服の汚れと濡れを防ぐため、髪の毛に絡みにくいプラスチック、金属、木等適宜素材で出来た髪留め用クリップと、洋梨形又はハート型又は四角等の防水機能、又は、吸水機能のある適宜素材とを、接続した胸元の汚れと濡れ防止用品に関したものである。接続部分は、縫い閉じる、又は、ホック（スナップ）、マグネットなどを取り付けても良い、又は、紐、弾性ひも又は弾性テープで結んでもよい。
【背景技術】
【０００２】  洗顔時、食事時（含、介護時）、歯科治療時、化粧時などにおいて、髪の毛が汚れたり濡れないように髪留め用クリップで髪を留めたり、服の汚れと濡れ防止にはタオルなどを服の襟部分にはさんだり、マジックテープで止めたり二度〜三度の手間がかかっていた。
【考案の開示】
【考案が解決しようとする課題】
【０００３】  洗顔時、食事時（含、介護時）、歯科治療時、化粧時などにおいて、髪の毛が汚れたり濡れないように髪留め用クリップで髪の毛を留めたり、タオル又は、布などにマジックテープなどを使用した場合、マジックが髪に絡まったりするし、首の後ろでの作業はやりにくいし、二度〜三度の手間になる。従って、髪留めの機能と服の胸元の汚れと濡れ防止機能を一体化することにより、前述の欠点を解決しようとするものである。
【課題を解決するための手段】
【０００４】  本考案は、洗顔時、食事時（含、介護時）、歯科治療時、化粧時などにおいて、髪の毛に絡みにくいプラスチック、金属、木など適宜素材で出来た髪留め用クリップと、洋梨形、又はハート型又は四角等の防水機能、又は、吸水機能のある適宜素材とを、接続することにより髪を留めると同時に洗顔時、食事時（含、介護時）、歯科治療時、化粧時における、胸元の汚れと濡れ防止用品が装着できる。且つ、髪が汚れたり濡れるのと、服が汚れたり濡れる問題を同時に解決している。
【考案の効果】
【０００５】  上述のように、本考案の髪留め用クリップ付き洗顔時、食事時（含、介護時）、歯科治療時、化粧時において、胸元の汚れと濡れ防止用品は、髪留め用クリップで髪の汚れと濡れを防止出来るのは勿論、髪留め用クリップと、防水機能、又は、給水機能のある適宜素材とを、一体化したので上述の作業が一度で出来る。
【考案を実施するための最良の形態】
【０００６】  洋梨形、などに形成した胸元の汚れと濡れ防止部の上部に指で簡単に開閉出来、且つ、髪の毛に絡みにくい髪留め用クリップを取り付ける。髪留め用クリップを取り付ける上部は、縫い閉じる、又は、ホック（スナップ）、マグネットなどを取り付けても良い、又は、紐、弾性ひも又は弾性テープで結んでもよい。胸元汚れと濡れ防止部の上部はあごに沿うようにカーブしているがあごから離れすぎることはないように形成する、又は直線にする。
【実施例】
【０００７】  以下、添付図面に従って実施例を説明する。１は耐久性があり髪の毛に絡みにくいプラスチック、金属、木など適宜素材にて形成された髪留め用クリップ。２は洗顔時、食事時（含、介護時）、歯科治療時、化粧時服の濡れ又は汚れを防ぐために、防水機能又は、給水機能のある適宜素材にて形成された胸元の汚れ防止部。３は１の髪留め用クリップと２の胸元の汚れ防止部を一体化させるための接続部。４は汚れ防止部の上端部。
【産業上の利用可能性】
【０００８】  化粧品販売店及び、エステテックサロン及び、ドラッグストアー。化粧品の販促品として。小物雑貨店。インターネット販売、歯科医、デパートなどメーク実演用、焼肉店など食事時に胸元を汚す恐れがある飲食店、介護施設他。
【図面の簡単な説明】
【０００９】
【図１】本考案の正面図である。
【符号の説明】
【００１０】  １    髪留め用クリップ
２    汚れ防止部
３    接続部
４    汚れ防止部の上端部
【図１】
0003149909.tif 000003
【手続補正書】
【提出日】平成20年9月18日(2008.9.18)
【手続補正１】
【補正対象書類名】実用新案登録請求の範囲
【補正対象項目名】全文
【補正方法】変更
【補正の内容】
【実用新案登録請求の範囲】
【請求項１】
本考案は、洗顔時、及び、化粧時などにおいて、髪と服の汚れ、及び、濡れを防ぐため、洋ナシ形、ハート型、又は四角などの防水機能、及び、吸水機能のある適宜素材と、その上端部に、髪の毛に絡みにくいプラスチック、金属、木など適宜素材で出来た髪留め用クリップとを、縫い閉じる、ホック、マグネットなどを取り付けたりして一体化した、髪留め用クリップつき胸元の汚れ、及び、濡れ防止涎掛け型エプロンである。
【手続補正２】
【補正対象書類名】明細書
【補正対象項目名】０００１
【補正方法】変更
【補正の内容】
【０００１】  洗顔時、及び、化粧時などにおいて、髪と服の汚れ、及び、濡れを防ぐため、洋ナシ形、ハート型、又は四角などの防水機能、及び、吸水機能のある適宜素材と、その上端部に、髪の毛に絡みにくいプラスチック、金属、木など適宜素材で出来た髪留め用クリップとを接続した、胸元の汚れ、及び、濡れ防止涎掛け型エプロンに関したものである。接続部分は縫い閉じる、ホック、マグネットなどを取り付けても良い。
【手続補正３】
【補正対象書類名】明細書
【補正対象項目名】０００２
【補正方法】変更
【補正の内容】
【０００２】  洗顔時、及び、化粧時などにおいて、髪の毛が汚れたり濡れないように髪留め用クリップで髪を留めたり、服の汚れ、及び、濡れ防止にはタオルなどを服の襟部分にはさんだり、マジックテープ（登録商標）で止めたり二度〜三度の手間がかかっていた。
【手続補正４】
【補正対象書類名】明細書
【補正対象項目名】０００３
【補正方法】変更
【補正の内容】
【０００３】  洗顔時、及び、化粧時などにおいて、髪の毛が汚れたり濡れないように髪留め用クリップで髪の毛を留めたり、タオル又は、布などにマジックテープ（登録商標）などを使用した場合、マジックテープ（登録商標）が髪に絡まったりするし、二度〜三度の手間になる。従って、髪留めの機能、及び、服の胸元の汚れ、及び、濡れ防止機能を一体化することにより、前述の欠点を解決しようとするものである。
【手続補正５】
【補正対象書類名】明細書
【補正対象項目名】０００４
【補正方法】変更
【補正の内容】
【課題を解決するための手段】
【０００４】
本考案は、洗顔時、及び、化粧時などにおいて、髪と服の汚れ、及び、濡れを防ぐため、洋ナシ形、ハート型、又は四角などの防水機能、及び、吸水機能のある適宜素材と、その上端部に、縫い閉じる、ホック、マグネットなどを取り付けたりして、髪の毛に絡みにくいプラスチック、金属、木など適宜素材で出来た髪留め用クリップとを、一体化することにより、髪が汚れたり濡れるのと、服が汚れたり濡れる問題を同時に解決している。
【手続補正６】
【補正対象書類名】明細書
【補正対象項目名】０００５
【補正方法】変更
【補正の内容】
【考案の効果】
【０００５】
上述のように、本考案の髪留め用クリップつき胸元の汚れ、及び、濡れ防止涎掛け型エプロンは、髪留め用クリップで髪の汚れ、及び、濡れを防止できるのは勿論、防水機能、及び、吸水機能のある適宜素材とを、一体化したので上述の作業が一度で出来る。
【手続補正７】
【補正対象書類名】明細書
【補正対象項目名】０００７
【補正方法】変更
【補正の内容】
【実施例】
【０００７】
以下、添付図面に従って実施例を説明する。１は耐久性があり髪の毛に絡みにくいプラスチック、金属、木など適宜素材にて形成された髪留め用クリップ。２は洗顔時、及び、化粧時服の汚れ及び、濡れを防ぐために、防水機能、及び、給水機能のある適宜素材にて形成された胸元の汚れ防止部。３は１の髪留め用クリップと２の胸元の汚れ防止部を一体化させるための接続部。４は汚れ防止部の上端部。
【手続補正８】
【補正対象書類名】明細書
【補正対象項目名】０００８
【補正方法】変更
【補正の内容】
【産業上の利用可能性】
【０００８】
化粧品販売店及び、エステティックサロン及び、ドラッグストアー。化粧品の販促品として。小物雑貨店。インターネット販売。デパートなどでのメーク実演用。
【手続補正書】
【提出日】平成20年12月19日(2008.12.19)
【手続補正１】
【補正対象書類名】実用新案登録請求の範囲
【補正対象項目名】全文
【補正方法】変更
【補正の内容】
【実用新案登録請求の範囲】
【請求項１】
洗顔時、又は、化粧時において、髪と服の汚れ、及び、濡れを防ぐため、
洋ナシ形、ハート形、又は四角形の形状を有し、防水機能のある適宜素材と、
髪の毛に絡みにくいプラスチック、金属、木によって形成される髪留め用クリップと、を備え、
前記適宜素材と前記髪留め用クリップとを、縫い閉じるか、又は、前記適宜素材と前記髪留め用クリップとを、ホック、又は、マグネットで一体化した、汚れ、及び、濡れ防止涎掛け型エプロン。
【手続補正２】
【補正対象書類名】明細書
【補正対象項目名】０００１
【補正方法】変更
【補正の内容】
【０００１】  洗顔時、及び、化粧時などにおいて、髪と服の汚れ、及び、濡れを防ぐため、
洋ナシ形、ハート形、又は四角形の防水機能のある適宜素材と、その上端部に、髪の毛に絡みにくいプラスチック、金属、木で出来た髪留め用クリップとを、縫い閉じるか、または、ホック、マグネットなどを取り付けたりして一体化した、胸元の汚れ、及び、濡れ防止涎掛け型エプロンに関したものである。